(57)【要約】テレビ信号受像機のような装置２０は、適応的な方式で狭帯域及び広帯域のＡＧＣ信号の両者を提供する多数のフィードバックソースを使用することでＡＧＣ機能を提供する。例示的な実施の形態によれば、装置２０は、第一及び第二のＩＦ信号を発生するために作用するチューナ１０，１５，２０，２５，３０を含む。第一の復調器４０は、第一のＩＦ信号に応じて第一のＡＧＣ信号を発生するために作用する。第二の復調器５０は、第二のＩＦ信号に応じて第二のＡＧＣ信号を発生するために作用する。広帯域ＡＧＣ検出器６０は、第一及び第二のＩＦ信号の少なくとも１つに応じて第三のＡＧＣ信号を発生するために作用する。スイッチ７０は、予め決定された条件に応じて、第一、第二及び第三のＡＧＣ信号のうちの１つをチューナ１０，１５，２０，２５，３０に選択的に提供するために作用する。
2007532013.tif 000002
【特許請求の範囲】
【請求項１】
第一及び第二の中間周波（ＩＦ）信号を発生するための同調手段と、
前記第一のＩＦ信号に応じて第一の自動利得制御（ＡＧＣ）信号を発生するための第一のＡＧＣ手段と、
前記第二のＩＦ信号に応じて第二のＡＧＣ信号を発生するための第二のＡＧＣ手段と、
前記第一及び第二のＩＦ信号の少なくとも１つに応じて第三のＡＧＣ信号を発生するための第三のＡＧＣ手段と、
予め決定された条件に応じて前記同調手段に前記第一、第二の及び第三のＡＧＣ信号のうちの１つを選択的に供給するスイッチング手段と、
を有することを特徴とする信号処理装置。
【請求項２】
前記第一のＩＦ信号はアナログチャネルを表し、
前記第一のＡＧＣ手段はアナログ復調器を有する、
請求項１記載の信号処理装置。
【請求項３】
前記第二のＩＦ信号はデジタルチャネルを表し、
前記第二のＡＧＣ手段はデジタル復調器を有する、
請求項１記載の信号処理装置。
【請求項４】
前記第三のＡＧＣ手段は広帯域のＡＧＣ検出器を有する、
請求項１記載の信号処理装置。
【請求項５】
前記スイッチング手段に前記第一、第二及び第三のＡＧＣ信号のうちの１つを提供させる制御信号を出力するための処理手段を更に有する、
請求項１記載の信号処理装置。
【請求項６】
前記第一及び第二のＡＧＣ信号は狭帯域信号であり、
前記第三のＡＧＣ信号は広帯域信号である、
請求項１記載の信号処理装置。
【請求項７】
チューナを使用して、第一及び第二の中間周波（ＩＦ）信号のうちの１つを発生するステップと、
前記第一のＩＦ信号に応じて第一の自動利得制御（ＡＧＣ）信号を発生するステップと、
前記第二のＩＦ信号に応じて第二のＡＧＣ信号を発生するステップと、
前記第一及び第二のＩＦ信号の少なくとも１つに応じて第三のＡＧＣ信号を発生するステップと、
スイッチを使用して、予め決定された条件に応じて前記第一、第二及び第三のＡＧＣ信号のうちの１つを前記チューナに選択的に供給するステップと、
を含むことを特徴とする方法。
【請求項８】
前記第一のＩＦ信号はアナログチャネルを表す、
請求項７記載の方法。
【請求項９】
前記第二のＩＦ信号はデジタルチャネルを表す、
請求項７記載の方法。
【請求項１０】
前記スイッチに、前記第一、第二及び第三のＡＧＣ信号のうちの１つを供給させる制御信号を発生するステップを更に含む、
請求項７記載の方法。
【請求項１１】
前記第一及び第二のＡＧＣ信号は狭帯域信号であり、
前記第三のＡＧＣ信号は広帯域信号である、
請求項７記載の方法。
【請求項１２】
第一及び第二の中間周波（ＩＦ）信号を発生するために作用するチューナと、
前記第一のＩＦ信号に応答して第一の自動利得制御（ＡＧＣ）信号を発生するために作用する第一の復調器と、
前記第二のＩＦ信号に応答して第二のＡＧＣ信号を発生するために作用する第二の復調器と、
前記第一及び第二のＩＦ信号の少なくとも１つに応じて第三のＡＧＣ信号を発生するために作用する広帯域ＡＧＣ検出器と、
予め決定された条件に応じて、前記第一、第二及び第三のＡＧＣ信号のうちの１つを前記チューナに選択的に供給するために作用するスイッチと、
を有することを特徴とするテレビ信号受像機。
【請求項１３】
前記第一のＩＦ信号はアナログチャネルを表し、
前記第一の復調器はアナログ復調器を有する、
請求項１２記載のテレビ信号受像機。
【請求項１４】
前記第二のＩＦ信号はデジタルチャネルを表し、
前記第二の復調器はデジタル復調器を有する、
請求項１２記載のテレビ信号受像機。
【請求項１５】
前記スイッチに、前記第一、第二及び第三のＡＧＣ信号のうちの１つを供給させる制御信号を出力するために作用するプロセッサを更に有する、
請求項１２記載のテレビ信号受像機。
【請求項１６】
前記第一及び第二のＡＧＣ信号は狭帯域信号であり、
前記第三のＡＧＣ信号は広帯域信号である、
請求項１２記載のテレビ信号受像機。
【発明の詳細な説明】
【技術分野】
【０００１】
本発明は、テレビ信号受像器のような装置用の自動利得制御（ＡＧＣ：Ａｕｔｏｍａｔｉｃ  Ｇａｉｎ  Ｃｏｎｔｒｏｌ）全般に関し、より詳細には、特に、マルチプルフィードバックソースを使用し、適応的な方式で狭帯域及び広帯域のＡＧＣ信号の両者を供給可能なＡＧＣ機能を提供するための装置及び方法に関する。
【背景技術】
【０００２】
テレビ信号受像機のような装置は、アナログ信号及びデジタル信号の両者を受信及び処理可能である場合がある。アナログ及びデジタル信号処理の両者を包含するため、かかる装置は、アナログ信号用の一方のチューナ及び復調器と、デジタル信号用の別のチューナ及び復調器を使用する場合がある。同様に、所定の装置は、ケーブル信号用の一方のチューナ及び復調器と、地上波信号用の別のチューナ及び復調器とを使用する場合がある。両方のケースでは、個別かつ専用のチューナ及び復調器の使用は、製造コスト、パートカウント、電力消費量、及び装置全体の回路の動作上の信頼性の観点で一般的に望まれない。
【０００３】
アナログ信号及びデジタル信号の両者を受信及び処理するための別のアプローチは、多数の復調器（１つはアナログ復調器であって１つはデジタル復調器）をもつ単一のチューナを使用することである。このアプローチによれば、それぞれの復調器は、適切な信号処理を保証するために受信信号の振幅を自動的に調整するＡＧＣ機能をイネーブルにするため、対応するＡＧＣ信号をチューナに供給する場合がある。一般に、ＡＧＣ信号は、所望のチャネルの帯域幅に等しいか、又は近似的に等しい帯域幅内の信号、又は近似的に帯域幅内の信号に応答して発生される場合、「狭帯域」ＡＧＣ信号と呼ばれる場合がある。代替的に、ＡＧＣ信号は、所望のチャネルと１以上の隣接チャネルを含む帯域幅内の信号に応答して発生される場合、「広帯域」ＡＧＣ信号と呼ばれる場合がある。
【発明の開示】
【発明が解決しようとする課題】
【０００４】
一般に、狭帯域のＡＧＣ信号の使用により、隣接チャネルにおいて潜在的に大きな望まれない信号が存在する場合には、所望のチャネルの信号対雑音比（ＳＮＲ）を保持するが、チューナにおける増幅器の過負荷のため、かかる大きな望まれない信号に非線形の歪みを所望のチャネルに生じさせる。逆に、広帯域のＡＧＣ信号の使用により、隣接チャネルにおける大きな望まれない信号が存在する場合には、チューナの線形性が保持されるのに役立つが、所望のチャネルへのＳＮＲの低下を生じさせる場合がある。したがって、狭帯域ＡＧＣ信号の使用と広帯域ＡＧＣ信号の使用との間でトレードオフが存在する。現在の装置は、狭帯域ＡＧＣ信号の使用と広帯域ＡＧＣ信号の使用との間の上述されたトレードオフと関連される潜在的な利益を利用することができず、したがって、最適な方式よりも低い方式でＡＧＣ機能を提供する。たとえば、所定の装置は、狭帯域ＡＧＣ信号又は広帯域ＡＧＣ信号のいずれかを排他的に使用する場合がある。
【０００５】
したがって、とりわけ、適応的な方式で狭帯域ＡＧＣ信号と広帯域ＡＧＣ信号の両者を提供可能なテレビ信号受像機のような装置用のＡＧＣ機能を提供するための技術が必要とされている。本発明は、これらの問題及び／又は他の問題に対処するものである。
【課題を解決するための手段】
【０００６】
本発明の態様によれば、信号処理装置が開示される。例示的な実施の形態によれば、信号処理装置は、第一及び第二の中間周波数（ＩＦ）信号を発生する同調手段を有する。第一のＡＧＣ手段は、第一のＩＦ信号に応答して第一のＡＧＣ信号を発生する。第二のＡＧＣ手段は、第二のＩＦ信号に応答して第二のＡＧＣ信号を発生する。第三のＡＧＣ手段は、第一及び第二のＩＦ信号の少なくとも１つに応答して第三のＡＧＣ信号を発生する。スイッチング手段は、予め決定された条件に応じて、第一、第二及び第三のＡＧＣ信号のうちの１つを同調手段に選択的に供給する。
【０００７】
本発明の別の態様によれば、ＡＧＣ機能を供給するための方法が開示される。例示的な実施の形態によれば、本方法は、チューナを使用して、第一及び第二のＩＦ信号のうちの１つを発生するステップ、第一のＩＦ信号に応じて第一のＡＧＣ信号を発生するステップ、第二のＩＦ信号に応答して第二のＡＧＣ信号を発生するステップ、第一及び第二のＩＦ信号の少なくとも１つに応答して第三のＡＧＣ信号を発生するステップ、及び、スイッチを使用して、予め決定された条件に応答してチューナに第一、第二及び第三のＡＧＣ信号のうちの１つを選択的に供給するステップを含んでいる。
【０００８】
本発明の更に別の態様によれば、テレビ信号受像機が開示される。例示的な実施の形態によれば、テレビ信号受像機は、第一及び第二のＩＦ信号を発生するために作用するチューナを有している。第一の復調器は、第一のＩＦ信号に応じて第一のＡＧＣ信号を発生するために作用する。第二の復調器は、第二のＩＦ信号に応答して第二のＡＧＣ信号を発生するために作用する。広帯域ＡＧＣ検出器は、第一及び第二のＩＦ信号の少なくとも１つに応答して第三のＡＧＣ信号を発生するために作用する。スイッチは、予め決定された条件に応じて、第一、第二及び第三のＡＧＣ信号のうちの１つをチューナに選択的に供給するために作用する。
【０００９】
本発明の先に記載された特徴及び利点、他の特徴及び利点、並びにこれらに属する方式は明らかとなり、本発明は、添付図面と共に行われる本発明の実施の形態の以下に記載を参照することで良好に理解されるであろう。
【発明を実施するための最良の形態】
【００１０】
本実施の形態で述べられる例示は、本発明の好適な実施の形態を例示するものであって、かかる例示は、如何なるやり方であっても本発明の範囲を限定するとして解釈されない。
【００１１】
ここで添付図面、特に図１を参照して、本発明の例示的な実施の形態に係る信号処理装置１００が示されている。信号処理装置１００は、たとえば、テレビ信号受像機及び／又は他の装置のような受信装置のフロントエンド処理回路を表している場合がある。図１に示されるように、信号処理装置１００は、ＲＦフィルタ１０のような第一の無線周波（ＲＦ）フィルタリング手段、自動利得制御（ＡＧＣ）増幅器１５のような増幅手段、ＲＦフィルタ２０のような第二のＲＦフィルタリング手段、シグナルミキサ２５のような信号混合手段、及び、局部発振器（ＬＯ）３０のような発振手段を有している。例示的な実施の形態によれば、ＲＦフィルタ１０、ＡＧＣ増幅器１５、ＲＦフィルタ２０、シグナルミキサ２５及びＬＯ３０は、信号処理装置１００の信号同調手段を表している。
【００１２】
図１の信号処理装置１００は、中間周波数（ＩＦ）フィルタ３５のような第一のＩＦフィルタリング手段、アナログ復調器４０のようなアナログ復調手段、ＩＦフィルタ４５のような第二のＩＦフィルタリング手段、デジタル復調器５０のようなデジタル復調手段、広帯域ＡＧＣ検出器６０のような広帯域ＡＧＣ検出器手段、スイッチ７０のようなスイッチング手段、アナログ−デジタル（Ａ／Ｄ）コンバータ８０のようなＡ／Ｄ変換手段、及びプロセッサ９０のような処理手段を更に有している。図１のエレメントは、集積回路（ＩＣ）を使用して実施される場合があり、幾つかのエレメントは、たとえば１以上のＩＣに含まれる場合がある。記載の明確さのため、所定の制御信号、電力信号のような信号処理装置１００に関連される所定の従来のエレメント、及び／又は他のエレメントは、図１に示されていない場合がある。
【００１３】
ＲＦフィルタ１０は、ユーザによりチャネル選局に応じてＲＦ入力信号をフィルタリングし、これにより第一のフィルタリングされたＲＦ信号を発生するために作用する。例示的な実施の形態によれば、ＲＦフィルタ１０により受信されたＲＦ入力信号は、オーディオ、ビデオ、及び／又はデータコンテンツを含む場合があり、地上波、ケーブル、衛星、インターネット及び／又は他の信号源のような１以上の信号源から供給される場合がある。
【００１４】
ＡＧＣ増幅器１５は、スイッチ７０から供給されたＡＧＣ信号に応じてＲＦフィルタ１０から供給された第一のフィルタリングされたＲＦ信号を増幅し、したがって利得制御されたＲＦ信号を発生するために作用する。本実施の形態で後に記載されるように、ＡＧＣ増幅器１５に供給されるＡＧＣ信号は、複数の異なるフィードバックソースから発生する場合があり、狭帯域ＡＧＣ信号又は広帯域ＡＧＣ信号のいずれかである場合がある。
【００１５】
ＲＦフィルタ２０は、ユーザのチャネル選局に応じてＡＧＣ増幅器１５から供給された利得制御されたＲＦ信号をフィルタリングし、これにより第二のフィルタリングされたＲＦ信号を発生する。一般に、ＲＦフィルタ１０及び２０のフィルタリング動作は、ユーザのチャネル選局に応じて信号を分離し、望まれない信号が選局されたチャネル内の所望の信号と干渉するのを防止する。
【００１６】
シグナルミキサ２５は、ＲＦフィルタ２０から供給される第二のフィルタリングされたＲＦ信号をＬＯ信号と混合し、これにより第一のＩＦ信号及び第二のＩＦ信号を発生する。例示的な実施の形態によれば、シグナルミキサ２５は、ユーザがアナログチャネルを選択した場合、アナログチャネルを表す第一のＩＦ信号（たとえば、ＮＴＳＣ，ＰＡＬ，ＳＥＣＡＭ等）を発生し、ユーザがデジタルチャネルを選択した場合、デジタルチャネルを表す第二のＩＦ信号（たとえば、ＡＴＳＣ、ＳＥＣＡＭ）を発生する。ＬＯ３０は、ユーザによるチャネル選局に応じてＬＯ信号を発生するために作用する。
【００１７】
ＩＦフィルタ３５は、シグナルミキサ２５から供給される第一のＩＦ信号をフィルタリングし、これにより第一のフィルタリングされたＩＦ信号を発生するために作用する。例示的な実施の形態によれば、ＩＦフィルタ３５は、ユーザによるチャネル選局に応じて第一のＩＦ信号をフィルタリングし、選択されたアナログチャネルのみを通過させる。ＩＦフィルタ３５は、たとえば、１以上の表面音響波（ＳＡＷ）フィルタを使用して実施される場合がある。
【００１８】
アナログ復調器４０は、ＩＦフィルタ３５から供給される第一のフィルタリングされたＩＦ信号を復調し、復調されたアナログ信号を発生するために作用する。例示的な実施の形態によれば、アナログ復調器４０は、１以上のタイプのアナログ復調信号（たとえば、ＮＴＳＣ，ＰＡＬ等）を復調するために作用する。図１に示されるように、アナログ復調器４０から出力された復調されたアナログ信号は、更なる処理（たとえば、復号化等）のために供給される場合がある。また、例示的な実施の形態によれば、アナログ復調器４０は、第一のフィルタリングされたＩＦ信号に応答してスイッチ７０に第一のＡＧＣ信号を供給する。例示的な実施の形態によれば、第一のＡＧＣ信号は、受信されている所望のアナログチャネルの帯域幅に等しいか、近似的に等しい帯域幅内の信号であるか、又は近似的に帯域幅内の信号に応答して発生される点で狭帯域信号である。第一のＡＧＣ信号用に使用される実際の帯域幅は、設計上の選択の問題となる場合がある。第一のＡＧＣ信号は、ＡＧＣ増幅器１５により必要とされる特定のＲＦ  ＡＧＣ遅延ポイント及びＡＧＣ電圧を容易にする。アナログ復調器４０は、たとえば、同期位相ロックループ（ＰＬＬ）タイプの復調器として実現される場合がある。
【００１９】
ＩＦフィルタ４５は、シグナルミキサ２５から供給された第二のＩＦ信号をフィルタリングし、これにより第二のフィルタリングされたＩＦ信号を発生するために作用する。例示的な実施の形態によれば、ＩＦフィルタ３５は、ユーザのチャネル選局に応じて第二のＩＦ信号をフィルタリングし、選択されたデジタルチャネルのみを通過させる。ＩＦフィルタ４５は、たとえば、１以上の表面音響波（ＳＡＷ）フィルタを使用して実施される場合がある。
【００２０】
デジタル復調器５０は、ＩＦフィルタ４５から供給される第二のフィルタリングされたＩＦ信号を復調し、これにより復調されたデジタル信号を発生するために作用する。例示的な実施の形態によれば、デジタル復調器５０は、１以上のタイプのデジタル復調された信号（たとえば、ＡＴＳＣ、ＱＡＭ等）を復調するために作用する。図１に示されるように、デジタル復調器５０から出力された復調されたデジタル信号は、更なる処理（たとえば、復号化等）のために供給される場合がある。また、例示的な実施の形態によれば、デジタル復調器５０は、第二のフィルタリングされたＩＦ信号に応答してスイッチ７０に第二のＡＧＣ信号を供給する。例示的な実施の形態によれば、第二のＡＧＣ信号は、受信されている所望のデジタルチャネルの帯域幅に等しいか、又は帯域幅に近似的に等しい帯域幅内の信号であるか、又は近似的に帯域幅内の信号に応答して発生される点で狭帯域信号でもある。第二のＡＧＣ信号用に使用される実際の帯域幅は、設計上の問題である場合がある。第二のＡＧＣ信号は、ＡＧＣ増幅器１５により要求される特定のＲＦ  ＡＧＣ遅延ポイント及びＡＧＣ電圧を容易にする。デジタル復調器５０は、たとえば、Ｂｒｏａｄｃｏｍにより製造されるＢＣＭ３５１０モデルＩＣ、又はＡＴＩにより製造されるＮＸＴ２００３モデルＩＣのようなＩＣを使用して実施される場合がある。
【００２１】
広帯域ＡＧＣ検出器６０は、シグナルミキサ２５から供給された第一及び／又は第二のＩＦ信号に応答して、第三のＡＧＣ信号を発生するために作用する。例示的な実施の形態によれば、第三のＡＧＣ信号は、所望のチャネル及び１以上の隣接チャネルを含む帯域幅内の信号に応答して発生される点で広帯域ＡＧＣ信号である。第三のＡＧＣ信号用に使用される実際の帯域幅は、設計上の選択の問題である場合がある。広帯域ＡＧＣ検出器６０は、たとえば、Ｉｎｆｉｎｅｏｎにより製造されたＴＵＡ６０３０／３４のようなＩＣを使用して実施される場合がある。
【００２２】
スイッチ７０は、プロセッサ９０からの制御信号に応答して、アナログ復調器４０、デジタル復調器５０及び広帯域ＡＧＣ検出器６０からの第一、第二及び第三のＡＧＣ信号のうちの１つを、ＡＧＣ増幅器１５及びＡ／Ｄコンバータ８０に供給する。このようにして、スイッチ７０は、信号処理装置１００の複数のフィードバックソースからのＡＧＣ信号を選択的に供給し、適応的な方式で狭帯域ＡＧＣ信号及び広帯域ＡＧＣ信号の両者を供給することができる。
【００２３】
Ａ／Ｄコンバータ８０は、アナログ形式からデジタル形式に信号を変換するために作用する。例示的な実施の形態によれば、Ａ／Ｄコンバータ８０は、アナログ形式からデジタル形式にスイッチ７０から出力されたＡＧＣ信号を変換する。
【００２４】
プロセッサ９０は、信号処理装置１００の各種の処理、制御及び記憶機能を実行するために作用する。例示的な実施の形態によれば、プロセッサ９０は、Ａ／Ｄコンバータ８０から供給されたデジタル化されたＡＧＣ信号を受信してこれを処理し、デジタル化されたＡＧＣ信号に応答してスイッチ７０を制御する制御信号を発生する。また、プロセッサ９０は、限定するものではないが、チャネル選局入力のようなユーザ入力の検出及び処理、チャネル同調をイネーブルにするための制御信号の供給、チャネルタイプ（すなわち、アナログ対デジタル）の検出、メモリ及び他の機能のような、信号処理装置１００に関連する他の機能を実行するために作用する。
【００２５】
本発明の良好な理解を容易にするため、例がここで提供される。図２を参照して、本発明の例示的な実施の形態に係るステップを例示するフローチャート２００が示されている。例及び説明のため、図２のステップは、図１の信号処理装置１００を参照して記載される。図２のステップは、単なる例示であって、如何なる方式であっても本発明を限定することが意図されていない。
【００２６】
ステップ２１０で、信号処理装置１００は、チャネルチューニングプロセスを開始する。例示的な実施の形態によれば、チャネルチューニングプロセスは、ハンドヘルドリモートコントロール装置、統合化されたキーパネル、有線及び／又は無線キーボード、及び／又は他の入力装置のようなユーザ入力装置（図１に図示せず）を介して、信号処理装置１００へのユーザのチャネル選局入力に応答してステップ２１０で開始する。ユーザのチャネル選局入力により、ＲＦフィルタ１０及び２０は、ＲＦ入力信号をフィルタリングし、ＬＯ３０は、選局されたチャネルに対応するＬＯ信号をシグナルミキサ２５に供給し、これにより、ステップ２１０でチャネルチューニングプロセスを開始する。
【００２７】
ステップ２２０で、チューニングされる選択されたチャネルがデジタルチャネルであるかに関して判定が行われる。例示的な実施の形態では、プロセッサ９０は、デジタル復調器５０が有効なデジタルチャネル信号に復調ロックを得ることが可能であるかを示すデジタル復調器５０から供給される制御信号（図１には図示せず）に応答して、ステップ２２０で判定を行うためにプログラムされている。選択されたチャネルがデジタルチャネルであるかを判定する他のやり方は、本発明に従ってステップ２２０で使用される場合もある。このようにして、プロセッサ９０は、選択されたチャネルがアナログチャネル（たとえば、ＮＴＳＣ、ＰＡＬ、ＳＥＣＡＭ等）であるか、デジタルチャネル（たとえば、ＡＴＳＣ、ＱＡＭ等）であるかを判定することが可能である。
【００２８】
ステップ２２０での判定ステップが否定的である場合、プロセスフローは、ステップ２３０に進み、ここで、信号処理装置１００は、アナログ復調器４０から供給された狭帯域のＡＧＣ信号を使用してアナログチャネルを同調する。例示的な実施の形態によれば、プロセッサ９０は、スイッチ７０にアナログ復調器４０からの第一のＡＧＣ信号をＡＧＣ増幅器１５及びＡ／Ｄコンバータ８０に通過させる制御信号を出力する。本実施の形態で先に示されたように、アナログ復調器４０から供給された第一のＡＧＣ信号は、チューニングされている所望のアナログチャネルの帯域幅に等しいか、又は近似的に等しい帯域幅内の信号であるか、又は近似的に帯域幅内の信号に応答して発生される点で狭帯域ＡＧＣ信号である。たとえば、同調されているアナログチャネルが６ＭＨｚ帯域幅を有する場合、第一のＡＧＣ信号は、６ＭＨｚに等しいか、又は近似的に等しい帯域幅を有する信号に応答して発生される場合がある。例示的な実施の形態によれば、アナログチャネルをチューニングするとき、狭帯域ＡＧＣ信号の使用が好ましい。
【００２９】
ステップ２２０での判定が肯定的である場合、プロセスフローはステップ２４０に進み、ここで信号処理装置１００は、デジタル復調器５０から供給された狭帯域ＡＧＣ信号を選択する。例示的な実施の形態によれば、プロセッサ９０は、スイッチ７０にデジタル復調器５０からの第二のＡＧＣ信号をＡＧＣ増幅器１５及びＡ／Ｄコンバータ８０に通過させる制御信号を出力する。本実施の形態で先に示されたように、デジタル復調器５０から供給された第二のＡＧＣ信号は、同調される所望のデジタルチャネルの帯域幅に等しいか又は近似的に等しい帯域幅内の信号であるか、近似的に帯域幅内の信号に応答して発生される点で狭帯域のＡＧＣ信号である。たとえば、同調されるデジタルチャネルが６ＭＨｚの帯域幅を有する場合、第二のＡＧＣ信号は、６ＭＨｚに等しいか、近似的に等しい帯域幅を有する信号に応答して発生される場合がある。
【００３０】
ステップ２５０で、デジタル化されたＡＧＣ信号は、プロセッサ９０により読み出される。例示的な実施の形態によれば、プロセッサ９０は、デジタル復調器５０により発生された第二のＡＧＣ信号のデジタル表現である、Ａ／Ｄコンバータ８０から供給されたデジタル化されたＡＧＣ信号を読み出す。
【００３１】
ステップ２６０で、デジタル化されたＡＧＣ信号が低い電圧（すなわち二進のロウ状態）を示すかに関する判定が行われる。例示的な実施の形態によれば、信号処理装置１００の同調手段が利得低減モードにあるとき、デジタル化されたＡＧＣ信号は低電圧を示し、これにより、同調されているデジタルチャネルのＳＮＲが比較的高いことを示す。逆に、信号処理装置１００の同調手段の利得が更に増加するとき、ステップ２６０で、デジタル化されたＡＧＣ信号は高い電圧を示し、これにより、デジタル復調器５０が復調ロックを得ようとしている場合があることを示す。ステップ２６０で低電圧及び／又は高電圧をなす実際の電圧レベルは、設計上の選択の問題である場合がある。
【００３２】
ステップ２６０での判定が否定的である場合、プロセスフローはステップ２７０に進み、ここで信号処理装置１００は、デジタル復調器５０から供給された狭帯域のＡＧＣ信号を使用してデジタルチャネルを同調する。例示的な実施の形態によれば、プロセッサ９０は、ステップ２７０で、スイッチ７０にデジタル復調器５０からの第二のＡＧＣ信号をＡＧＣ増幅器１５及びＡ／Ｄコンバータ８０に通過させ続ける。これに応じて、ステップ２６０で、デジタル化されたＡＧＣ信号が高い電圧を示すとき、狭帯域のＡＧＣ信号はデジタルチャネルチューニングのために使用される。
【００３３】
ステップ２６０での判定が肯定的である場合、プロセスフローは、ステップ２８０に進み、ここで信号処理装置１００は広帯域のＡＧＣ検出器６０から供給される広帯域ＡＧＣ信号を使用してデジタルチャネルを同調する。例示的な実施の形態によれば、プロセッサ９０は、スイッチ７０に広帯域のＡＧＣ検出器６０からＡＧＣ増幅器１５及びＡ／Ｄコンバータ８０に第三のＡＧＣ信号を通過させる制御信号を出力する。本実施の形態で前に示されたように、広帯域のＡＧＣ検出器６０から供給された第三のＡＧＣ信号は、所望のチャネル及び１以上の隣接するチャネルを含む帯域内の信号に応答して発生される点で広帯域ＡＧＣ信号である。たとえば、同調されているデジタルチャネルが６ＭＨｚ帯域幅を有する場合、第三のＡＧＣ信号は、１８ＭＨｚ（所望のチャネルに２つの隣接するチャネルを加えたもの）に等しいか、又は近似的に等しい帯域幅を有する信号に応答して発生される場合がある。これに応じて、デジタル化されたＡＧＣ信号はステップ２６０で低電圧を示すとき、広帯域のＡＧＣ信号は、デジタルチャネルチューニングのために使用される。  図２のステップの変形は、本発明の範囲でもある。たとえば、プロセッサ９０は、チャネルチューニングのために、狭帯域ＡＧＣ信号を使用すべきか広帯域信号を使用するべきかに関する判定において、如何なるタイプの予め決定された条件を検出する場合があり、使用される特定の予め決定された条件は、設計上の選択の問題である。１つの変形は、狭帯域ＡＧＣ信号をはじめに使用し、結果的に得られるＳＮＲ又はパケットエラーレートを検出することを含む場合がある。つぎに、広帯域ＡＧＣ信号が使用され、結果的に得られるＳＮＲ又はパケットエラーレートが同様に検出される。どの１つが最良のＳＮＲ又はパケットエラーレートを提供するかに基づいて、狭帯域又は広帯域ＡＧＣ信号が次いで選択される。別の変形例は、歪みの問題を生じさせる可能性があるチャネルのレンジにわたるチャネルスキャンリストを調べることを含む場合がある（たとえば、Ｎ＋／−１，Ｎ＋／−２等）。歪みの問題を生じる可能性があるリストにチャネルが存在しない場合、狭帯域のＡＧＣ信号が使用される場合がある。干渉しているチャネルが存在する場合、狭帯域ＡＧＣ信号がはじめに使用され、ＲＦ（及びＩＦ）ＡＧＣ値は、所望のチャネルの入力電力レベルを推定するために記録される場合がある。（ＳＮＲ問題を回避するため）所望のチャネルの推定された入力電力レベルが予め決定された閾値を超える場合、広帯域のＡＧＣ信号が使用される場合がある。所望のチャネルの推定された入力電力レベルが予め決定された閾値を超えていない場合、狭帯域ＡＧＣ信号が使用され続ける場合がある。他の変形例が本発明に従って使用される場合もある。
【００３４】
本実施の形態で記載されるように、本発明は、特に、複数のフィードバックソースを使用し、適応的な方式で狭帯域のＡＧＣ信号と広帯域のＡＧＣ信号の両者を提供可能なＡＧＣ機能を提供するための装置及び方法を提供する。本発明は、ディスプレイ装置をもつか、又はディスプレイ装置をもたない各種の装置にも適用可能である。したがって、本実施の形態で使用されるフレーズ「信号処理装置」及び「テレビ信号受像機」は、限定されるものではないが、テレビジョンセット、ディスプレイ装置を含むコンピュータ又はモニタ、並びに、セットトップボックス、ビデオカセットレコーダ（ＶＣＲ）、デジタルバーサティルディスク（ＤＶＤ）プレーヤ、ビデオゲームボックス、パーソナルビデオレコーダ（ＰＶＲ）、ラジオ／オーディオ装置のようなシステム及び装置、ディスプレイ装置を含まない場合があるコンピュータ又は他の装置を示す場合がある。
【００３５】
本発明は好適な設計を有するとして記載されたが、本発明は、この開示の精神及び範囲内で更に変更することができる。したがって、この出願は、この汎用的な原理を使用して本発明の変形例、使用又は適合をカバーすることが意図される。さらに、本出願は、本発明が属する技術分野であって、特許請求の範囲の制限内に含まれる技術分野における公知又は慣用な実施となる、この開示からのかかる逸脱をカバーすることが意図される。
【図面の簡単な説明】
【００３６】
【図１】本発明の例示的な実施の形態に係る信号処理装置のブロック図である。
【図２】本発明の例示的な実施の形態に係るステップを例示するフローチャートである。
【図１】
2007532013.tif 000003
【図２】
2007532013.tif 000004
【手続補正書】
【提出日】平成17年1月4日(2005.1.4)
【手続補正１】
【補正対象書類名】特許請求の範囲
【補正対象項目名】全文
【補正方法】変更
【補正の内容】
【特許請求の範囲】
【請求項１】
第一及び第二の中間周波（ＩＦ）信号を発生するための同調手段と、
前記第一のＩＦ信号に応じて第一の自動利得制御（ＡＧＣ）信号を発生するための第一のＡＧＣ手段と、
前記第二のＩＦ信号に応じて第二のＡＧＣ信号を発生するための第二のＡＧＣ手段と、
前記第一及び第二のＩＦ信号の少なくとも１つに応じて広帯域の第三のＡＧＣ信号を発生するための第三のＡＧＣ手段と、
予め決定された条件に応じて前記同調手段に前記第一、第二の及び第三のＡＧＣ信号のうちの１つを選択的に供給するスイッチング手段と、
を有することを特徴とする信号処理装置。
【請求項２】
前記第一のＩＦ信号はアナログチャネルを表し、
前記第一のＡＧＣ手段はアナログ復調器を有する、
請求項１記載の信号処理装置。
【請求項３】
前記第二のＩＦ信号はデジタルチャネルを表し、
前記第二のＡＧＣ手段はデジタル復調器を有する、
請求項１記載の信号処理装置。
【請求項４】
前記第三のＡＧＣ手段は広帯域のＡＧＣ検出器を有する、
請求項１記載の信号処理装置。
【請求項５】
前記スイッチング手段に、前記第一、第二及び第三のＡＧＣ信号のうちの１つを提供させる制御信号を出力するための処理手段を更に有する、
請求項１記載の信号処理装置。
【請求項６】
前記第一及び第二のＡＧＣ信号は狭帯域信号である、
請求項１記載の信号処理装置。
【請求項７】
チューナを使用して、第一及び第二の中間周波（ＩＦ）信号のうちの１つを発生するステップと、
前記第一のＩＦ信号に応じて第一の自動利得制御（ＡＧＣ）信号を発生するステップと、
前記第二のＩＦ信号に応じて第二のＡＧＣ信号を発生するステップと、
前記第一及び第二のＩＦ信号の少なくとも１つに応じて広帯域の第三のＡＧＣ信号を発生するステップと、
スイッチを使用して、予め決定された条件に応じて前記第一、第二及び第三のＡＧＣ信号のうちの１つを前記チューナに選択的に供給するステップと、
を含むことを特徴とする方法。
【請求項８】
前記第一のＩＦ信号はアナログチャネルを表す、
請求項７記載の方法。
【請求項９】
前記第二のＩＦ信号はデジタルチャネルを表す、
請求項７記載の方法。
【請求項１０】
前記スイッチに、前記第一、第二及び第三のＡＧＣ信号のうちの１つを供給させる制御信号を発生するステップを更に含む、
請求項７記載の方法。
【請求項１１】
前記第一及び第二のＡＧＣ信号は狭帯域信号である、
請求項７記載の方法。
【請求項１２】
第一及び第二の中間周波（ＩＦ）信号を発生するために作用するチューナと、
前記第一のＩＦ信号に応答して第一の自動利得制御（ＡＧＣ）信号を発生するために作用する第一の復調器と、
前記第二のＩＦ信号に応答して第二のＡＧＣ信号を発生するために作用する第二の復調器と、
前記第一及び第二のＩＦ信号の少なくとも１つに応じて第三のＡＧＣ信号を発生するために作用する広帯域ＡＧＣ検出器と、
予め決定された条件に応じて、前記第一、第二及び第三のＡＧＣ信号のうちの１つを前記チューナに選択的に供給するために作用するスイッチと、
を有することを特徴とするテレビ信号受像機。
【請求項１３】
前記第一のＩＦ信号はアナログチャネルを表し、
前記第一の復調器はアナログ復調器を有する、
請求項１２記載のテレビ信号受像機。
【請求項１４】
前記第二のＩＦ信号はデジタルチャネルを表し、
前記第二の復調器はデジタル復調器を有する、
請求項１２記載のテレビ信号受像機。
【請求項１５】
前記スイッチに、前記第一、第二及び第三のＡＧＣ信号のうちの１つを供給させる制御信号を出力するために作用するプロセッサを更に有する、
請求項１２記載のテレビ信号受像機。
【請求項１６】
前記第一及び第二のＡＧＣ信号は狭帯域信号であり、
前記第三のＡＧＣ信号は広帯域信号である、
請求項１２記載のテレビ信号受像機。
【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
第一及び第二の中間周波（ＩＦ）信号を発生するための同調手段と、
第一の帯域幅内で、前記第一のＩＦ信号に応じて第一の自動利得制御（ＡＧＣ）信号を発生するための第一のＡＧＣ手段と、
第二の帯域幅内で、前記第二のＩＦ信号に応じて第二のＡＧＣ信号を発生するための第二のＡＧＣ手段と、
前記第一の帯域幅及び前記第二の帯域幅のそれぞれよりも広い第三の帯域幅内で、前記第一及び第二のＩＦ信号の少なくとも１つに応じて第三のＡＧＣ信号を発生するための第三のＡＧＣ手段と、
予め決定された条件に応じて前記同調手段に前記第一、第二の及び第三のＡＧＣ信号のうちの１つを選択的に供給するスイッチング手段と、
を有することを特徴とする信号処理装置。
【請求項２】
前記第一のＩＦ信号はアナログチャネルを表し、
前記第一のＡＧＣ手段はアナログ復調器を有する、
請求項１記載の信号処理装置。
【請求項３】
前記第二のＩＦ信号はデジタルチャネルを表し、
前記第二のＡＧＣ手段はデジタル復調器を有する、
請求項１記載の信号処理装置。
【請求項４】
前記第三のＡＧＣ手段は広帯域のＡＧＣ検出器を有する、
請求項１記載の信号処理装置。
【請求項５】
前記スイッチング手段に、前記第一、第二及び第三のＡＧＣ信号のうちの１つを提供させる制御信号を出力するための処理手段を更に有する、
請求項１記載の信号処理装置。
【請求項６】
前記第一及び第二のＡＧＣ信号は狭帯域信号である、
請求項１記載の信号処理装置。
【請求項７】
チューナを使用して、第一及び第二の中間周波（ＩＦ）信号のうちの１つを発生するステップと、
第一の帯域幅内で、前記第一のＩＦ信号に応じて第一の自動利得制御（ＡＧＣ）信号を発生するステップと、
第二の帯域幅内で、前記第二のＩＦ信号に応じて第二のＡＧＣ信号を発生するステップと、
前記第一の帯域幅及び前記第二の帯域幅のそれぞれよりも広い第三の帯域幅内で、前記第一及び第二のＩＦ信号の少なくとも１つに応じて第三のＡＧＣ信号を発生するステップと、
スイッチを使用して、予め決定された条件に応じて前記第一、第二及び第三のＡＧＣ信号のうちの１つを前記チューナに選択的に供給するステップと、
を含むことを特徴とする方法。
【請求項８】
前記第一のＩＦ信号はアナログチャネルを表す、
請求項７記載の方法。
【請求項９】
前記第二のＩＦ信号はデジタルチャネルを表す、
請求項７記載の方法。
【請求項１０】
前記スイッチに、前記第一、第二及び第三のＡＧＣ信号のうちの１つを供給させる制御信号を発生するステップを更に含む、
請求項７記載の方法。
【請求項１１】
前記第一及び第二のＡＧＣ信号は狭帯域信号であり、前記第三のＡＧＣ信号は広帯域信号である、
請求項７記載の方法。
【請求項１２】
第一及び第二の中間周波（ＩＦ）信号を発生するために作用するチューナと、
第一の帯域幅内で、前記第一のＩＦ信号に応答して第一の自動利得制御（ＡＧＣ）信号を発生するために作用する第一の復調器と、
第二の帯域幅内で、前記第二のＩＦ信号に応答して第二のＡＧＣ信号を発生するために作用する第二の復調器と、
前記第一の帯域幅及び前記第二の帯域幅のそれぞれよりも広い第三の帯域幅内で、前記第一及び第二のＩＦ信号の少なくとも１つに応じて第三のＡＧＣ信号を発生するために作用する広帯域ＡＧＣ検出器と、
予め決定された条件に応じて、前記第一、第二及び第三のＡＧＣ信号のうちの１つを前記チューナに選択的に供給するために作用するスイッチと、
を有することを特徴とするテレビ信号受像機。
【請求項１３】
前記第一のＩＦ信号はアナログチャネルを表し、
前記第一の復調器はアナログ復調器を有する、
請求項１２記載のテレビ信号受像機。
【請求項１４】
前記第二のＩＦ信号はデジタルチャネルを表し、
前記第二の復調器はデジタル復調器を有する、
請求項１２記載のテレビ信号受像機。
【請求項１５】
前記スイッチに、前記第一、第二及び第三のＡＧＣ信号のうちの１つを供給させる制御信号を出力するために作用するプロセッサを更に有する、
請求項１２記載のテレビ信号受像機。
【請求項１６】
前記第一及び第二のＡＧＣ信号は狭帯域信号であり、前記第三のＡＧＣ信号は広帯域信号である、
請求項１２記載のテレビ信号受像機。
【国際調査報告】
2007532013.tif 000005
2007532013.tif 000006